(57)【要約】  【課題】  記録再生装置において、テープ端面を損傷させずにテープの安定走行が可能な技術の提供。  【解決手段】  テープガイドとして、該テープガイドのテープ進入部及びテープ退出部でテープ端面に接し弾性復元力によりテープの幅方向変位を規制する。また、テープガイドを、該テープガイドのテープ巻き付け角範囲部において第１の弾性復元力でテープ端面に当接する第１の弾性部と、該テープガイドのテープ進入部及びテープ退出部において、上記第１の弾性復元力よりも小さい第２の弾性復元力でテープ端面に当接する第２の弾性部とを有し、該第１、第２の弾性復元力によりテープの幅方向変位を規制する。【選択図】  図１
2005174413.tif 000002
【特許請求の範囲】
【請求項１】
テープガイドで走行規制したテープに対し信号を記録または再生する記録再生装置であって、
上記テープガイドが、該テープガイドのテープ進入部及びテープ退出部で上記テープの端面に接し弾性復元力によりテープの幅方向変位を規制する構成を備えていることを特徴とする記録再生装置。
【請求項２】
テープガイドで走行規制したテープに対し信号を記録または再生する記録再生装置であって、
上記テープガイドが、該テープガイドのテープ巻き付け角範囲部において第１の弾性復元力でテープ端面に当接する第１の弾性部と、該テープガイドのテープ進入部及びテープ退出部において第２の弾性復元力でテープ端面に当接する第２の弾性部とを有し、該第１、第２の弾性復元力により、上記テープ巻き付け角範囲部、上記テープ進入部及び上記テープ退出部におけるテープの幅方向変位を規制する構成を備えていることを特徴とする記録再生装置。
【請求項３】
上記テープガイドは、上記第１の弾性復元力が上記第２の弾性復元力よりも大きい構成である請求項２に記載の記録再生装置。
【請求項４】
上記テープガイドは、上記第１の弾性部と上記第２の弾性部が１つの一体部材内に形成された構成である請求項２に記載の記録再生装置。
【請求項５】
上記テープガイドは、上記テープ進入部及び上記テープ退出部において上記テープの端面に接する部分が凸状の曲面を有する構成である請求項１または請求項２に記載の記録再生装置。
【請求項６】
記録再生装置において記録媒体のテープを走行規制するテープガイドであって、
テープ進入部及びテープ退出部で上記テープの端面に接し弾性復元力によりテープの幅方向変位を規制する構成を備えたことを特徴とするテープガイド。
【請求項７】
記録再生装置において記録媒体のテープを走行規制するテープガイドであって、
テープガイドのテープ巻き付け角範囲部において第１の弾性復元力でテープ端面に当接する第１の弾性部と、該テープガイドのテープ進入部及びテープ退出部において第２の弾性復元力でテープ端面に当接する第２の弾性部とを有し、該第１、第２の弾性復元力により、上記テープ巻き付け角範囲部、上記テープ進入部及び上記テープ退出部におけるテープの幅方向変位を規制する構成を備えていることを特徴とするテープガイド。
【発明の詳細な説明】
【技術分野】
【０００１】
本発明は、記録再生装置におけるテープ走行用のテープガイド技術に関する。
【背景技術】
【０００２】
近年、テープを使用した記録再生装置においては、大容量化のためにテープ厚を薄くし、カートリッジに収納できるテープ長をできる限り長くする傾向にある。一方、テープの幅方向変動を抑えて安定走行させるべく、テープガイドに設けたフランジ部にテープ端面を押し付けて変動を規制しているため、剛性低下した薄手テープではテープエッジが傷つき易く、また、テープから脱落した磁性粉によりヘッド目詰まりも発生し易い。さらに、高密度記録化を図るためエッジぎりぎりまで拡大された記録領域でのエラーも増大する。このための対策技術としては、例えば特開平５-２９０４５９号公報（特許文献１）に記載されたものがある。該公報には、テープガイドの一端（例えばテープ幅方向上端）に設けたフランジの形状を、フランジがテープ端面と接触する面のテープ出入口部を曲面などテープ端面から離脱する傾斜角を小さくするとともに、フランジとテープの接触部分をテープの巻き付け角よりも小さく構成するテープガイド装置が記載されている。
【０００３】
【特許文献１】特開平５-２９０４５９号公報
【発明の開示】
【発明が解決しようとする課題】
【０００４】
例えば上記公報記載の技術では、テープガイドの出入口部を曲面構成としているためテープエッジは損傷しないが、テープに対しては積極的な規制作用がないために、テープは幅方向に変動し、フランジ部に最初に接触する点においてテープが損傷するおそれがある。
本発明の課題点は、上記従来技術の状況に鑑み、記録再生装置において、薄手テープに対してもテープエッジ（テープ端面）を損傷させることなく、安定走行を可能にすることである。
本発明の目的は、上記課題点を解決し、高密度記録にも対応可能な記録再生装置のテープガイド技術を提供することにある。
【課題を解決するための手段】
【０００５】
上記課題点を解決するために、本発明では、テープガイドとして、該テープガイドのテープ進入部及びテープ退出部でテープ端面に接し弾性復元力によりテープの幅方向変位を規制する構成を備える。また、テープガイドを、該テープガイドのテープ巻き付け角範囲部において第１の弾性復元力でテープ端面に当接する第１の弾性部と、該テープガイドのテープ進入部及びテープ退出部において第２の弾性復元力でテープ端面に当接する第２の弾性部とを有し、該第１、第２の弾性復元力により、上記テープ巻き付け角範囲部、上記テープ進入部及び上記テープ退出部におけるテープの幅方向変位を規制する構成を備えたものとする。
【発明の効果】
【０００６】
本発明によれば、記録再生装置において、テープ端面を損傷させることなく、テープの安定走行が可能となり、エラーを抑えた高密度記録も可能となる。
【発明を実施するための最良の形態】
【０００７】
以下、本発明を実施するための最良の形態につき、図面を用いて説明する。
実施形態としては、磁気テープを用いる記録再生装置の場合につき説明する。
図１〜図５は、本発明の第１の実施形態の説明図である。図１は、本発明の第１の実施形態としての記録再生装置におけるテープガイドの構成を示す図、図２は、図１のテープガイドの上面図、図３は、図１のテープガイドの側面図、図４は、図１のテープガイドへのテープの巻き付け状態を示す図、図５は、図１のテープガイドを用いたテープ走行路例を示す図である。
【０００８】
図１において、１はテープガイド、４は磁気テープ、５は、テープガイド１のシャフト、６は、テープガイド１において磁気テープ４の下側テープ端面の変位を規制する下フランジ部、８ａは、テープガイド１のテープ巻き付け角範囲部において磁気テープ４の上側テープ端面に当接しテープ幅方向の変位を規制する第１の規制部材、８ｂは、テープガイド１のテープ進入部及びテープ退出部において磁気テープ４の上側テープ端面に当接しテープ幅方向の変位を規制する第２の規制部材、９は、第１の規制部材８ａ、第２の規制部材８ｂを、シャフト５または該シャフト５に固定された部材に固定するためのねじ、１０はスリーブである。第１の規制部材８ａは、テープガイド１のテープ巻き付け角範囲部においてほとんど変位しない固定高さ位置で、磁気テープ４の上側テープ端面に当接し、該高さ位置でテープ幅方向の変位を規制する。また、第２の規制部材８ｂは、弾性部材で構成され、テープガイド１のテープ進入部及びテープ退出部において微小変位した高さ位置で、磁気テープ４の上側テープ端面に当接し、弾性復元力によりテープ幅方向の変位を規制する。
【０００９】
かかる構成において、磁気テープ４は、テープガイド１のスリーブ１０に所定の巻き付け角で巻き付けられた状態で所定方向に走行され、走行路上のヘッド（図示なし）により信号を記録または再生される。走行時、磁気テープ４は、テープガイド１のテープ進入部では上記第２の規制部材８ｂの弾性復元力によりテープ幅方向の変位を規制され、該規制された状態でスリーブ１０部に巻き付けられ、該スリーブ１０部へのテープ巻き付け角範囲部では上記第１の規制部材８ａによりテープ幅方向の変位を規制される。さらに、テープガイド１のテープ退出部では上記第２の規制部材８ｂの弾性復元力によりテープ幅方向の変位を規制される。
【００１０】
上記第１の規制部材８ａとしては、上記のようにテープガイド１のテープ巻き付け角範囲部において固定高さ位置で磁気テープ４のテープ端面に当接しテープ幅方向の変位を規制するものの他、弾性部材で構成されテープガイド１のテープ巻き付け角範囲部において微小変位した高さ位置で磁気テープ４のテープ端面に当接し、弾性復元力によりテープ幅方向の変位を規制する構成のものであってもよい。ただし、この構成の場合、該第１の規制部材８ａは、その弾性復元力が、上記第２の規制部材８ｂそれぞれの弾性復元力よりも大きくなるようにする必要がある。また、スリーブ１０は、磁気テープ４の走行とともに回転する構成のものであってもよいし、または回転しない構成のものであってもよい。
【００１１】
図２は、図１のテープガイドの上面図、図３は、図１のテープガイド１の側面図、図４は、図１のテープガイドへの磁気テープの巻き付け状態を示す図である。
図２、図３及び図４において、Ａは、テープガイド１のテープ進入部、Ｂは、テープガイド１のテープ巻き付け角範囲部、Ｃは、テープガイド１のテープ退出部、Ｌは、第２の規制部材８ｂそれぞれのアーム長さ、θは、テープガイド１のスリーブ１０への磁気テープ４の巻き付け角である。他の符号は、上記図１の場合と同じ構成要素を示す。第１の規制部材８ａは、テープガイド１のテープ巻き付け角θに対応したテープ巻き付け角範囲部Ｂの内部において磁気テープ４のテープ端面に当接し、磁気テープ４に対し高精度の安定したテープ幅方向の規制を行う。第２の規制部材８ｂは、テープガイド１のテープ進入部Ａでは磁気テープ４のテープ端面に当接して予備的に、弾性復元力によりテープ幅方向のソフトな規制を行い、上記テープ巻き付け角範囲部Ｂにおける規制の準備をする。テープ退出部Ｃでは磁気テープ４のテープ端面に当接して、弾性復元力によりテープ幅方向のソフトな規制を行い、上記テープ巻き付け角範囲部Ｂにおける規制を緩和し、規制開放の準備をする。かかる構成は、磁気テープ４を、テープ端面を傷めずに所定のテープ位置で安定に走行させる。特に、テープ進入部Ａ及びテープ退出部Ｃにおいては、磁気テープの座屈などのエッジダメージを防止する。磁気テープ４を、モード変更で巻き戻しなど走行方向を逆した場合も同様である。記録容量の増大を図った薄手テープではこの作用・効果が顕著となる。
【００１２】
図５は、図１のテープガイドを用いたテープ走行路例を示す図である。
図５において、１ａは、図１のテープガイドであって磁気ヘッドに対しテープ走行の上流側に設けたテープガイド、１ｂは、図１のテープガイドであって磁気ヘッドに対しテープ走行の下流側に設けたテープガイド、３は、信号を磁気テープ４に記録または再生するための磁気ヘッド、１０１、１０２はガイドピンである。かかる構成により、テープガイド１ａは、磁気ヘッド３の上流側で磁気テープ４の幅方向の規制を、テープ端面を傷めずに精度良く行い、また、テープガイド１ｂは、磁気ヘッド３の下流側で磁気テープ４の幅方向の規制を、テープ端面を傷めずに精度良く行う。このため、磁気ヘッド３に対し磁気テープ４の幅方向位置を所定位置にすることが容易に可能となり、テープの端部側でもヘッドの良好な接触性を確保でき、該端部側にも信号を、エラーを抑えた状態で記録また再生することが可能となる。
【００１３】
上記本発明の第１の実施形態によれば、記録再生装置のテープ走行路において、テープ端面を損傷させることなく、磁気ヘッド３の部分、その上流側部分及び下流側部分における磁気テープ４の幅方向位置を精度良く規制することができる。このため、テープの安定走行が可能になるとともに、エラーを抑えた高密度記録も可能となる。
【００１４】
図６は、本発明の第２の実施形態としての記録再生装置に用いるテープガイドの構成を示す図である。本第２の実施形態は、テープガイドとして、テープ進入部及び上記テープ退出部において磁気テープの幅方向規制を行う規制部材（第２の規制部材）が、テープ端面に接する部分が凸状の曲面を有する構成とした場合である。
図６において、１'はテープガイド、８ａ'は、テープガイド１'のテープ巻き付け角範囲部において磁気テープの上側テープ端面に当接しテープ幅方向の変位を規制する第１の規制部材、８ｂ'は、テープガイド１'のテープ進入部及びテープ退出部において磁気テープの上側テープ端面に当接しテープ幅方向の変位を規制する第２の規制部材である。他の符号は、上記第１の実施形態の場合と同じ構成要素を示す。第２の規制部材８ｂ'は、弾性部材で構成され、先端部に凸状の曲面を有し、テープガイド１'のテープ進入部Ａ及びテープ退出部Ｃにおいて微小変位した高さ位置で、該曲面の一部が磁気テープ４の上側テープ端面に当接し、弾性復元力によりテープ幅方向の変位を規制する。第１の規制部材８ａ'は、テープガイド１'のテープ巻き付け角範囲部Ｂにおいてほとんど変位しない固定高さ位置で、磁気テープ４の上側テープ端面に当接し、該高さ位置でテープ幅方向の変位を規制する構成であってもよいし、または、弾性部材で構成され、テープガイド１'のテープ巻き付け角範囲部Ｂにおいて微小変位した高さ位置で磁気テープ４のテープ端面に当接し、弾性復元力によりテープ幅方向の変位を規制する構成のものであってもよい。ただし、この構成の場合、該第１の規制部材８ａ'は、その弾性復元力が、上記第２の規制部材８ｂ'それぞれの弾性復元力よりも大きくなるようにされる。
上記本発明の第２の実施形態によっても、上記第１の実施形態の場合と同様の効果が得られる。特に、第２の規制部材８ｂ'はそれぞれ、先端部の凸状の曲面部でテープ端面に弾性復元力により当接するため、テープ端面の保護性をより一層高めることができる。
【００１５】
図７及び図８は、本発明の第３の実施形態としての記録再生装置に用いるテープガイドの構成を示す図である。図７はテープガイドの上面図、図８は同テープガイドの側面図である。本第３の実施形態は、テープガイドとして、テープ進入部及び上記テープ退出部において磁気テープの幅方向規制を行う規制部材（第２の記載部材）に、円柱状のピンを用いた場合である。
【００１６】
図７及び図８において、１''はテープガイド、８ａ''は、テープガイド１''のテープ巻き付け角範囲部において磁気テープの上側テープ端面に当接しテープ幅方向の変位を規制する第１の規制部材、８ｂ''は、テープガイド１''のテープ進入部及びテープ退出部において磁気テープの上側テープ端面に当接しテープ幅方向の変位を規制する第２の規制部材としての円柱状のピンである。他の符号は、上記第１の実施形態の場合と同じ構成要素を示す。第２の規制部材としてのピン８ｂ''は、弾性部材で構成され、テープガイド１''のテープ進入部Ａ及びテープ退出部Ｃにおいて微小変位した高さ位置で磁気テープ４の上側テープ端面に当接し、弾性復元力によりテープ幅方向の変位を規制する。ピン８ｂ''は、圧入等により第１の規制部材８ａ''に固定される。第１の規制部材８ａ''は、テープガイド１''のテープ巻き付け角範囲部Ｂにおいてほとんど変位しない固定高さ位置で、磁気テープ４の上側テープ端面に当接し、該高さ位置でテープ幅方向の変位を規制する構成であってもよいし、または、弾性部材で構成され、テープガイド１''のテープ巻き付け角範囲部Ｂにおいて微小変位した高さ位置で磁気テープ４のテープ端面に当接し、弾性復元力によりテープ幅方向の変位を規制する構成のものであってもよい。ただし、第１の規制部材８ａ''を弾性部材で構成した場合、該第１の規制部材８ａ''は、その弾性復元力が、上記第２の規制部材としてのピン８ｂ''のそれぞれの弾性復元力よりも大きくなるようにされる。
上記本発明の第３の実施形態によっても、上記第１の実施形態の場合と同様の効果が得られる。
【００１７】
図９は、本発明の第４の実施形態としての記録再生装置に用いるテープガイドの構成を示す図である。本第４の実施形態は、テープガイドとして、テープ巻き付け角範囲部において磁気テープの幅方向規制を行う規制部（第１の規制部）と、テープ進入部及び上記テープ退出部において磁気テープの幅方向規制を行う規制部（第２の規制部）とを、弾性部材で構成するとともに１つの一体部材内に形成した場合である。
【００１８】
図９において、１'''はテープガイド、８ａ'''は、テープガイド１'''のテープ巻き付け角範囲部において磁気テープの上側テープ端面に当接しテープ幅方向の変位を規制する第１の規制部、８ｂ'''は、テープガイド１'''のテープ進入部及びテープ退出部において磁気テープの上側テープ端面に当接しテープ幅方向の変位を規制する第２の規制部である。他の符号は、上記第１の実施形態の場合と同じ構成要素を示す。第１の規制部８ａ'''と第２の規制部８ｂ'''は、１つの弾性部材上に形成され、プレス加工などにより製造される。第１の規制部８ａ'''は、テープガイド１'''のテープ巻き付け角範囲部Ｂにおいて微小変位した高さ位置で磁気テープ４のテープ端面に当接し、弾性復元力によりテープ幅方向の変位を規制する。また、第２の規制部８ｂ'''は、テープガイド１'''のテープ進入部Ａ及びテープ退出部Ｃにおいて微小変位した高さ位置で磁気テープ４の上側テープ端面に当接し、弾性復元力によりテープ幅方向の変位を規制する。第１の規制部８ａ'''は、そのテープ端面当接位置での弾性復元力が、上記第２の規制部８ｂ'''それぞれのテープ端面当接位置での弾性復元力よりも大きくなるようにされる。該第１の規制部８ａ'''と該第２の規制部８ｂ'''におけるそれぞれの弾性復元力は、弾性部材の材質の選択と、それぞれの部分を構成する弾性部材の幅、厚さ、アーム長さなどの寸法の設定により決められる。本第４の実施形態では、第１の規制部８ａ'''と第２の規制部８ｂ'''とで互いに、弾性部材の幅とアーム長さとを変えてそれぞれの弾性復元力を適切な値にしている。第１の規制部８ａ'''は幅広で短いアーム長（Ｌ１）を有し、第２の規制部８ｂ'''は幅狭で長いアーム長（Ｌ２）を有する。
【００１９】
上記弾性復元力は、対象とするテープ走行系によってその設定値は異なったものとなる。例えばテープ幅８×１０−３ｍの回転ヘッド型テープ走行系では、テープテンションの絶対値は小さいが、テープガイドの傾斜によるテープ幅方向の移行力が発生するため、ガイドフランジには数×１０−２Ｎ〜１０×１０−２Ｎ程度のテープ規制反力が発生する。従って、第１の規制部８ａ'''では約１０×１０−２Ｎ以上の弾性復元力が発生するようにし、第２の規制部８ｂ'''では数×１０−２Ｎ程度の弾性復元力が得られるように設計するのが望ましい。また、１／２インチ幅のテープを使用するリニアドライブテープ走行系では、テープガイド類はシャーシに対し略垂直に設置されるため、上記テープ幅方向の移行力は発生しにくいが、テープテンションは、回転ヘッド型テープ走行系に対して１０倍程度と大きい。このため、移行力が発生した場合のテープ規制反力は大きくなり易い。従って、第１の規制部８ａ'''では約１０×１０−２Ｎ以上の弾性復元力が発生するようにし、第２の規制部８ｂ'''では数×１０−２Ｎ〜１０×１０−２Ｎ程度の弾性復元力が得られるように設計することが望ましい。
上記本発明の第４の実施形態によっても、上記第１の実施形態の場合と同様の効果が得られる。特に、第１の規制部８ａ'''と第２の規制部８ｂ'''とを１つの弾性部材でプレス加工等により形成可能なため、テープガイドの製作が容易となり、テープガイドの精度向上と低コスト化も可能となる。
【００２０】
なお、上記各実施形態では、第１、第２の規制部材または第１、第２の規制部が、磁気テープ４の上側テープ端面に当接してテープ幅方向の変位を規制する構成としたが、本発明はこれに限定されず、該第１、第２の規制部材または該第１、第２の規制部が、磁気テープ４の下側テープ端面に当接してテープ幅方向の変位を規制する構成としてもよいし、または、磁気テープ４の上側テープ端面と下側テープ端面との両方に当接してテープ幅方向の変位を規制する構成としてもよい。
【図面の簡単な説明】
【００２１】
【図１】本発明の第１の実施形態としての記録再生装置のテープガイド構成を示す図である。
【図２】図１のテープガイドの上面図である。
【図３】図１のテープガイドの側面図である。
【図４】図１のテープガイドへのテープの巻き付け状態を示す図である。
【図５】図１のテープガイドを用いたテープ走行路例を示す図である。
【図６】本発明の第２の実施形態としての記録再生装置のテープガイドの構成を示す図である。
【図７】本発明の第３の実施形態としての記録再生装置のテープガイドの上面図である。
【図８】本発明の第３の実施形態としての記録再生装置のテープガイドの側面図である。
【図９】本発明の第４の実施形態としての記録再生装置のテープガイド構成を示す図である。
【符号の説明】
【００２２】
１、１ａ、１ｂ、１'、１''、１'''…テープガイド、
３…磁気ヘッド、
４…磁気テープ、
５…シャフト、
６…下フランジ部、
８ａ、８ａ'、８ａ''、８ａ'''…第１の規制部材、
８ｂ、８ｂ'、８ｂ''、８ｂ'''…第２の規制部材、
８ａ'''…第１の規制部、
８ｂ'''…第２の規制部、
９…ねじ、
１０…スリーブ、
１０１、１０２…ガイドピン。
【図１】
2005174413.tif 000003
【図２】
2005174413.tif 000004
【図３】
2005174413.tif 000005
【図４】
2005174413.tif 000006
【図５】
2005174413.tif 000007
【図６】
2005174413.tif 000008
【図７】
2005174413.tif 000009
【図８】
2005174413.tif 000010
【図９】
2005174413.tif 000011